(57)【特許請求の範囲】
【請求項１】
上部に便座を固定する一方、底部にヒータを敷設した箱状のケーシングの内部に、前後方向に間隔をおいて回転自在に支持した複数本の回転軸にそれぞれ軸心方向に設定間隔をおいて固定された複数枚の多角形状回転板及び隣接する回転板間に配設された固定板からなる屎尿分離装置、駆動ローラ及び従動ローラに巻回された無端状ベルトからなる搬送コンベア、搬送コンベアの幅をおいて回転自在に支持された金網状のドラム本体の内部にドラムヒータを備えるとともに、ドラム本体間の略下半部外周面を覆う樋からなる乾燥ドラムを順に配設し、また、屎尿分離装置の下方に尿を収容する第１回収容器を出し入れ自在に配置するとともに、乾燥ドラムの下方に乾燥した固形物を収容する第２回収容器を出し入れ自在に配置してなり、屎尿を屎尿分離装置によって分離して尿を第１回収容器に収容し、ヒータを介して蒸発させる一方、屎やトイレットペーパ等の固形物を屎尿分離装置及び搬送コンベアを介して乾燥ドラムに搬送し、ドラムヒータを介して加熱させるとともに、乾燥ドラムを間欠的に回転させて網目を通して第２回収容器に収容し、ヒータを介して乾燥させることを特徴とする無水トイレ。
【請求項２】
請求項１に記載の無水トイレにおいて、前記屎尿分離装置の前方を遮蔽する前方コンベアを配設するとともに、屎尿分離装置及び搬送コンベアの左右側方をそれぞれ遮蔽する側方コンベアを配設することを特徴とする無水トイレ。
【請求項３】
請求項２に記載の無水トイレにおいて、前記ケーシングに、屎尿分離装置に対面する側の前方コンベアのベルト及び左右の側方コンベアのベルトにそれぞれ接触してスキージとして機能するフレームを設けることを特徴とする無水トイレ。
【請求項４】
請求項１乃至３のいずれか一つに記載の無水トイレにおいて、前記ケーシングに該ケーシング内の空気を吸引する排気ファンが付設されることを特徴とする無水トイレ。
【請求項５】
請求項１乃至４のいずれか一つに記載の無水トイレにおいて、前記ケーシングに紫外線照射ランプを付設することを特徴とする無水トイレ。
【請求項６】
簡易ハウスの床下空間にファンヒータ、尿タンク及び蓄電池を配設するとともに、屋根に太陽電池モジュールを搭載する一方、簡易ハウス内に無水トイレを設置して構成され、前記無水トイレは、上部に便座を固定する一方、箱状のケーシングの内部に、前後方向に間隔をおいて回転自在に支持した複数本の回転軸にそれぞれ軸心方向に設定間隔をおいて固定された複数枚の多角形状回転板及び隣接する回転板間に配設された固定板からなる屎尿分離装置、駆動ローラ及び従動ローラに巻回された無端状ベルトからなる搬送コンベア、搬送コンベアの幅をおいて回転自在に支持された金網状のドラム本体を備えるとともに、ドラム本体間の略下半部外周面を覆う樋からなる乾燥ドラムを順に配設し、乾燥ドラムの下方に乾燥した固形物を収容する回収容器を出し入れ自在に配置してなり、太陽電池モジュールを介して発電された電気を蓄電池に貯えて屎尿分離装置、搬送コンベア及び乾燥ドラムの電源に利用するとともに、屎尿を屎尿分離装置によって分離して尿を尿タンクに回収する一方、屎やトイレットペーパ等の固形物を屎尿分離装置及び搬送コンベアを介して乾燥ドラムに搬送し、ファンヒータから供給される加熱空気を介して加熱するとともに、乾燥ドラムを間欠的に回転させて網目を通して回収容器に収容することを特徴とする移動トイレ。
【発明の詳細な説明】
【技術分野】
【０００１】
この発明は、無水トイレ及び仮設トイレに関するものである。
【背景技術】
【０００２】
一般に、排泄は、水洗トイレ等により行なわれるが、歩行が困難な被介護者や高齢者、病人等においては、トイレで排泄することができない場合がある。このため、被介護者等は、ベッド等の傍らに配置されたポータブルトイレを利用して排泄することになる（例えば、特許文献１参照）。
【０００３】
また、特許文献２に示すように、工事現場やイベント会場等において、可搬式の仮設トイレを設置し、屎尿を乾燥処理することも提案されている。
【先行技術文献】
【特許文献】
【０００４】
【特許文献１】特開平１１−２９０２４２号公報
【特許文献２】特開平１１−１４０３０号公報
【発明の概要】
【発明が解決しようとする課題】
【０００５】
ところで、特許文献１のポータブルトイレにおいては、排泄の都度、介護者がバケットを取り出して排泄物を廃棄した後、バケットを洗浄して再びセットする必要があり、介護者にとっても、被介護者等においても煩わしいものとなっていた。
【０００６】
また、特許文献２の仮設トイレは、屎尿をタンクに貯留し、タンクに貯留された屎尿を屎尿処理装置に導いて処理するため、便器の他に屎尿処理装置が別途必要となり、設備が大がかりとなり、コストがかさむものとなる。
【０００７】
本発明は、このような問題点に鑑みてなされたもので、水道や下水道設備が不要で、屎尿を簡単に分離して乾燥処理することができるとともに、大きな面積を占有することなく設置できる無水トイレを提供するものである。また、任意の場所に輸送して設置できる、無水トイレを備えた仮設トイレを提供するものである。
【課題を解決するための手段】
【０００８】
本発明の無水トイレは、上部に便座を固定する一方、底部にヒータを敷設した箱状のケーシングの内部に、前後方向に間隔をおいて回転自在に支持した複数本の回転軸にそれぞれ軸心方向に設定間隔をおいて固定された複数枚の多角形状回転板及び隣接する回転板間に配設された固定板からなる屎尿分離装置、駆動ローラ及び従動ローラに巻回された無端状ベルトからなる搬送コンベア、搬送コンベアの幅をおいて回転自在に支持された金網状のドラム本体の内部にドラムヒータを備えるとともに、ドラム本体間の略下半部外周面を覆う樋からなる乾燥ドラムを順に配設し、また、屎尿分離装置の下方に尿を収容する第１回収容器を出し入れ自在に配置するとともに、乾燥ドラムの下方に乾燥した固形物を収容する第２回収容器を出し入れ自在に配置してなり、屎尿を屎尿分離装置によって分離して尿を第１回収容器に収容し、ヒータを介して蒸発させる一方、屎やトイレットペーパ等の固形物を屎尿分離装置及び搬送コンベアを介して乾燥ドラムに搬送し、ドラムヒータを介して加熱させるとともに、乾燥ドラムを間欠的に回転させて網目を通して第２回収容器に収容し、ヒータを介して乾燥させることを特徴とするものである。
【０００９】
本発明によれば、便座に着座して排泄すると、屎尿のうち尿が屎尿分離装置によって分離され、第１回収容器に収容され、ヒータによって加熱され、蒸発する。一方、屎は、回転する回転板によってトイレットペーパとともに固形物として固定板上を移動し、搬送コンベアに移送され、搬送コンベアによって乾燥ドラムに搬送される。そして、屎等の固形物は乾燥ドラムのドラムヒータによって加熱され、体積を減少させるとともに、間欠的に回転する乾燥ドラムによって網目を通して第２回収容器に収容され、ヒータによってさらに加熱される。
【００１０】
この結果、屎等の固形物は水分を蒸発させて体積を減少させることができ、また、尿は蒸発させることができることから、排泄の都度排泄物を廃棄し、洗浄する等の煩わしさから解放される。しかも、水道や下水道設備が不要で、ほぼ便座に対応する程度のコンパクトな大きさに形成されることにより、大きな面積を占有することなく任意の場所に設置することができる。
【００１１】
本発明において、前記屎尿分離装置の前方を遮蔽する前方コンベアを配設するとともに、屎尿分離装置及び搬送コンベアの左右側方をそれぞれ遮蔽する側方コンベアを配設することが好ましい。これにより、前方コンベア及び左右の側方コンベアが屎尿分離装置及び搬送コンベアの周囲をカーテン状に遮蔽することができ、尿がケーシング外の周囲に飛散することを防止できる。
【００１２】
本発明において、前記ケーシングに、屎尿分離装置に対面する側の前方コンベアのベルト及び左右の側方コンベアのベルトにそれぞれ接触してスキージとして機能するフレームを設けることが好ましい。これにより、前方コンベアのベルト及び左右の側方コンベアのベルトが周回移動するとき、ベルトに付着した屎尿をスキージとしてのフレームによって屎尿分離装置側に掻き落とすことができ、屎尿分離装置を介して分離してそれぞれ回収することができる。
【００１３】
本発明において、前記ケーシングに該ケーシング内の空気を吸引する排気ファンが付設されることが好ましい。これにより、排泄時の臭気や、ヒータの加熱によって発生する臭気を含む蒸気を吸引して室外等に排気することができる。
【００１４】
本発明において、前記ケーシングに紫外線照射ランプを付設することが好ましい。これにより、例えば、搬送コンベアの、周回移動して屎等の固形物を搬送するベルトに紫外線を照射して、ベルトの大腸菌等を殺菌することができる。この場合、９９．９％殺菌に必要な紫外線量（μｗ・ｓｅｃ／ｃｍ2 ）は菌によって決定されており、例えば、大腸菌は５４００である。
【００１５】
本発明の仮設トイレは、簡易ハウスの床下空間にファンヒータ、尿タンク及び蓄電池を配設するとともに、屋根に太陽電池モジュールを搭載する一方、簡易ハウス内に無水トイレを設置して構成され、前記無水トイレは、上部に便座を固定する一方、箱状のケーシングの内部に、前後方向に間隔をおいて回転自在に支持した複数本の回転軸にそれぞれ軸心方向に設定間隔をおいて固定された複数枚の多角形状回転板及び隣接する回転板間に配設された固定板からなる屎尿分離装置、駆動ローラ及び従動ローラに巻回された無端状ベルトからなる搬送コンベア、搬送コンベアの幅をおいて回転自在に支持された金網状のドラム本体を備えるとともに、ドラム本体間の略下半部外周面を覆う樋からなる乾燥ドラムを順に配設し、乾燥ドラムの下方に乾燥した固形物を収容する回収容器を出し入れ自在に配置してなり、太陽電池モジュールを介して発電された電気を蓄電池に貯えて屎尿分離装置、搬送コンベア及び乾燥ドラムの電源に利用するとともに、屎尿を屎尿分離装置によって分離して尿を尿タンクに回収する一方、屎やトイレットペーパ等の固形物を屎尿分離装置及び搬送コンベアを介して乾燥ドラムに搬送し、ファンヒータから供給される加熱空気を介して加熱するとともに、乾燥ドラムを間欠的に回転させて網目を通して回収容器に収容することを特徴とするものである。
【００１６】
本発明によれば、簡易ハウスの無水トイレで排泄すると、屎尿のうち、尿が屎尿分離装置によって分離され、尿タンクに回収される一方、屎は回転する回転板によってトイレットペーパとともに固形物として固定板上を移動し、搬送コンベアに移送され、搬送コンベアによって乾燥ドラムに搬送される。そして、屎等の固形物は、ファンヒータから供給される加熱空気によって加熱され、体積を減少させるとともに、間欠的に回転する乾燥ドラムによって網目を通して回収容器に回収され、さらに、加熱空気によって加熱される。
【００１７】
なお、屎尿分離装置等は、屋根に搭載した太陽電池モジュールによって発電され、蓄電池に貯えられた電気を利用して駆動される他、床下空間を利用してファンヒータ、蓄電池、尿タンクが配設されている。
【００１８】
この結果、全体をコンパクトに形成でき、また、商用電源が確保できない場合においても、尿を尿タンクに回収する一方、屎等の固形物を水分を蒸発させ、体積を減少させて回収することで、多人数の利用に対応できることから、任意の場所に輸送して設置することができる。
【発明の効果】
【００１９】
本発明の無水トイレによれば、水道や下水道設備が不要で、屎尿を簡単に分離して乾燥処理することができるとともに、大きな面積を占有することなく設置できる。
【００２０】
本発明の仮設トイレによれば、商用電源が確保できない場合であっても、屎尿を簡単に分離し、乾燥して収容できることから、多人数の利用に対応でき、全体をコンパクトに形成できることと相俟って、任意の場所に輸送して設置することができる。
【図面の簡単な説明】
【００２１】
【図１】本発明の無水トイレの一実施形態を示す断面図である。
【図２】図１の無水トイレの平面図である。
【図３】本発明の無水トイレの要部を一部省略して示す斜視図である。
【図４】本発明の仮設トイレの概略図である。
【発明を実施するための形態】
【００２２】
以下、本発明の実施の形態を図面に基づいて説明する。
【００２３】
図１乃至図３には、本発明の無水トイレ１の一実施形態が示されている。
【００２４】
この無水トイレ１は、底部にヒータ２１を配設した箱状のケーシング２と、ケーシング２内に配設された屎尿分離装置３と、屎尿分離装置３の後方に連続して配設された搬送コンベア４と、搬送コンベア４の後方に連続して配設された乾燥ドラム５と、屎尿分離装置３及び搬送コンベア４の前方及び左右各側方をそれぞれカーテン状に遮蔽する前方コンベア６及び側方コンベア７，７と、屎尿分離装置３の下方に臨んで出し入れ自在に配置された第１回収容器８と、乾燥ドラム５の下方に臨んで出し入れ自在に配置された第２回収容器９とから構成され、ケーシング２の上部には市販の便座Ｓ、例えば、温水洗浄便座が取り付けられている。
【００２５】
屎尿分離装置３は、ケーシング２に固定された方形枠状のフレーム２２に前後方向に設定間隔をおいて回転自在に支持された複数本（実施例においては３本）の回転軸３１と、各回転軸３１にそれぞれ軸心方向に設定間隔をおいて固定された複数枚の略三角形状の回転板３２と、隣接する回転板３２，３２間に配設され、前後の回転板３にわたる長さを有する複数枚の固定板３３とからなり、各回転軸３１の一端には、それぞれスプロケット３４が固定されている。したがって、後述するように、スプロケット３４にわたってチェーン４７が巻回されて周回移動することにより、各回転軸３１が回転し、全ての回転板３２を同時に同一方向に回転させることができる。
【００２６】
搬送コンベア４は、屎尿分離装置３の後方において、前後方向に間隔をおいて回転自在に支持された駆動ローラ４１及び従動ローラ４２と、駆動ローラ４１及び従動ローラ４２に巻回された無端状のベルト４３とからなり、駆動ローラ４１に固定された回転軸４４には、ケーシング２に固定された電動モータＭ１がかさ歯車４５，４５を介して連結されている。したがって、電動モータＭ１を回転駆動させることにより、かさ歯車４５，４５を介して回転軸４４、すなわち、駆動ローラ４１が回転し、ベルト４３を従動ローラ４２との間で周回移動させることができる。
【００２７】
なお、搬送コンベア４の回転軸４４には、スプロケット４６が固定されており、このスプロケット４６には、前述した屎尿分離装置３の各回転軸３１にそれぞれ固定されたスプロケット３４、後述する前方コンベア６の回転軸６４に固定されたスプロケット６５にわたってチェーン４７が巻回されている。
【００２８】
乾燥ドラム５は、ケーシング２に対して左右方向に延びる回転自在な回転軸５１に搬送コンベア４のベルト４３の幅だけ間隔をおいてそれぞれ固定された、金網、例えば、ラス網を円筒状に巻き回して形成された左右のドラム本体５２，５２と、左右のドラム本体５２にわたって配置されたドラムヒータ５３と、搬送コンベア４のベルト４３の幅よりも若干大きな幅とドラム本体５２の外径よりも若干大きな内径を有し、左右のドラム本体５２，５２間における仮想円筒状空間の外周面略下半部を覆うように、前端がフレーム２２に連結された略半円筒状の樋５４とからなり、回転軸５１の一端には、電動モータＭ２が連結されている。したがって、電動モータＭ２を回転駆動させることにより、回転軸５１が回転し、左右のドラム本体５２，５２をドラムヒータ５３とともに回転させることができる。
【００２９】
なお、乾燥ドラム５の回転軸５１の他端部には、回転継手５５が設けられており、乾燥ドラム５の回転に連動して回転するドラムヒータ５３に常時通電することができる。
【００３０】
また、左右のドラム本体５２，５２は、ドラムヒータ５３と１８０度離れて対向する位置において連結材５６を介して一体に連結されている。
【００３１】
屎尿分離装置３の前方に位置して設けられた前方コンベア６は、ケーシング２に対して上下方向に間隔をおいて回転自在に支持された駆動ローラ６１及び従動ローラ６２と、駆動ローラ６１及び従動ローラ６２に巻回された無端状のベルト６３とからなり、駆動ローラ６１に固定された回転軸６４の一端部には、スプロケット６５が固定されている。このスプロケット６５には、前述した搬送コンベア４の回転軸４４に固定されたスプロケット４６及び屎尿分離装置３の各回転軸３１に固定されたスプロケット３４とともに、チェーン４７が巻回されている。
【００３２】
同様に、屎尿分離装置３及び搬送コンベア４の左右側方に位置して設けられた側方コンベア７も、ケーシング２に対して上下方向に間隔をおいて回転自在に支持された駆動ローラ及び従動ローラと、駆動ローラ及び従動ローラに巻回された無端状ベルト７３とからなり、駆動ローラに固定された回転軸にはそれぞれ電動モータＭ３が連結されている。
【００３３】
ここで、搬送コンベア４のベルト４３，前方コンベア６のベルト６３、側方コンベア７のベルト７３は、それぞれフレーム２２の対応する各辺の上端縁と接触するように設定されている。
【００３４】
また、ケーシング２の後方には、排気口２ａが形成されるとともに、排気口２ａに臨んで排気ファン２３が設けられており、排気ファン２３を駆動することにより、ケーシング２内の空気を排気口２ａに接続された排気ホース（図示せず）を経て室外等の外部に排気することができる。
【００３５】
さらに、ケーシング２には、搬送コンベア４の上方に位置して紫外線照射ランプ２４が設けられており、ベルト４３及び乾燥ドラム５を殺菌することができる。
【００３６】
次に、このように構成された無水トイレ１の作動について説明する。
【００３７】
なお、排気ファン２３は、常時駆動することで、ケーシング２内の空気を吸引して室外等に排気しており、固形物を乾燥させるとともに、臭気が周囲に拡散することを防止している。また、紫外線照射ランプ２４は、無水トイレ１を使用するときは消灯し、不使用時に点灯するように設定されており、紫外線照射ランプ２４の点灯時には、照射された紫外線が搬送コンベア４のベルト４３及び乾燥ドラム５を殺菌する。
【００３８】
無水トイレ１を使用するに際して、図示しない電気スイッチを操作し、電動モータＭ１，Ｍ２，Ｍ３を駆動させるとともに、ドラムヒータ５４及びヒータ２１を作動させる。
【００３９】
これにより、電動モータＭ１の駆動によってかさ歯車４５，４５を介して搬送コンベア４の回転軸４４を回転させ、駆動ローラ４１及び従動ローラ４２にわたって巻回されたベルト４３をその上の固形物を後方に向けて搬送するように周回移動させる。
【００４０】
また、搬送コンベア４の回転軸４４が回転すると、該回転軸４４に固定されたスプロケット４６が回転し、該スプロケット４６に巻回されたチェーン４７を周回移動させる。この場合、チェーン４７は、屎尿分離装置３の各回転軸３１に固定されたスプロケット３４及び前方コンベア６の回転軸６４に固定されたスプロケット６５に順に巻回されていることにより、これらのスプロケット３４，６５、すなわち、各回転軸３１，６４を図１において反時計回り方向に回転させる。したがって、屎尿分離装置３の各回転軸３１に固定された回転板３２が同方向に回転するとともに、前方コンベア６の回転軸６４を介して駆動ローラ６１が回転し、駆動ローラ６１及び従動ローラ６２にわたって巻回されたベルト６３が同方向に周回移動する。
【００４１】
さらに、各電動モータＭ３の駆動により、左右の側方コンベア７の回転軸を介して駆動ローラが回転し、駆動ローラ及び従動ローラにわたって巻回されたベルト７３を、屎尿分離装置３に対面する側が下方に移動するように周回移動させる。
【００４２】
このような状態において、便座Ｓに着座して排泄した場合、屎尿分離装置３上に落下した屎尿のうち、尿は、前後の回転板３２，３２間の隙間及び回転板３２と固定板３３との隙間を通して下方に滴下し、第１回収容器８内に収容される。一方、屎は、トイレットペーパ等とともに固形物として複数枚の固定板３３にわたって支持されるとともに、回転板３２の回転によって固定板３３上を後方に向けて押し出されて移動し、最終的に屎尿分離装置３から搬送コンベア４のベルト４３上に移送される。そして、搬送コンベア４のベルト４３上に移送された屎やトイレットペーパ等の固形物は、周回移動するベルト４３により、乾燥ドラム５の左右のドラム本体５２，５２間においてドラムヒータ５３及び／又は樋５４上に落下し、約１００〜１３０℃に加熱されたドラムヒータ５３によって加温され、水分を蒸発させることで体積を縮小させる。
【００４３】
ここで、乾燥ドラム５は、設定時間毎に回転と中断を繰り返すように制御される。具体的には、ドラムヒータ５３の加熱を継続した状態で電動モータＭ２を介して乾燥ドラム５を設定時間回転させた後、設定時間回転を中断し、再び設定時間乾燥ドラム５を回転することを繰り返す。
【００４４】
そして、乾燥ドラム５が回転するとき、ドラムヒータ５３上の固形物は、乾燥して体積が縮小した場合には、回転するドラムヒータ５３から脱落して樋５４上に落下し、再び上方位置から下方位置を経て上方位置へと回転するドラムヒータ５３によって掻き上げられ、ドラムヒータ５３上を転動して左右のドラム本体５２，５２方向に移動し、その網目を通る大きさまで縮小した時点で乾燥ドラム５から落下し、その下方に臨む第２回収容器９内に収容される。また、乾燥せずにドラムヒータ５３に付着したままの固形物は、ドラムヒータ５３による加熱が継続して行なわれ、水分が蒸発される。
【００４５】
なお、設定時間が経過して設定回転数だけ回転したならば、ドラムヒータ５３が下方に位置した際に回転を停止させるように位置制御される。
【００４６】
一方、第１回収容器８に収容された尿及び第２回収容器９に収容されたトイレットペーパや屎等の固形物は、ケーシング２の底部に敷設されて約１００〜１３０℃に加熱されたヒータ２１によって加温される。このため、第１回収容器８に収容された尿は、加熱されて蒸発し、また、第２回収容器９に収容された固形物は、加熱されて水分が蒸発される。したがって、乾燥が十分でないまま固形物が乾燥ドラム５から第２回収容器９に落下したとしても、固形物は、ヒータ２１によって再び加熱されて水分が蒸発されるとともに、殺菌される。また、第１回収容器８に収容された尿が、多人数の使用によって蒸発が追いつかず、一部残留したとしても、トイレ等に廃棄することができる他、屎及びトイレットペーパ等の固形物と完全に分離されていることにより、液体肥料として活用することもできる。同様に、固形物についても加熱殺菌されていることにより、肥料として活用することもできる。
【００４７】
このような第１回収容器８及び第２回収容器９をヒータ２１によって加熱する際に発生する蒸気（臭気）については、排気ファン２３を介して室外等外部に常時排気される。
【００４８】
ところで、便座Ｓに着座して排泄するとき、尿は主に前方に向けて放出される。この場合、屎尿分離装置３の前方に位置してカーテン状に前方コンベア６が配設されてベルト６３が周回移動していることにより、尿は、前方コンベア６のベルト６３に衝突し、ケーシング２の外部に飛散することが防止される。同様に、屎尿分離装置３及び搬送コンベア４の左右側方に位置してカーテン状に側方コンベア７が配設されてベルト７３が周回移動していることにより、尿が左右方向に飛び散ったとしても、側方コンベア７のベルト７３によってケーシング２の外部に飛散することを防止できる。
【００４９】
この際、前方コンベア６のベルト６３の表面及び各側方コンベア７のベルト７３は、フレーム２２の上端縁と接触することから、ベルト６３，７３の表面に付着した尿は、第１回収容器８に掻き落とされる。したがって、フレーム２２は、スキージとして機能する。同様に、搬送コンベア４のベルト４３の表面もフレーム２２の上端縁と接触し、ベルト４３の表面に付着したトイレットペーパや屎を乾燥ドラム５に掻き落とすことができる。
【００５０】
このように、本願発明の無水トイレ１においては、便座Ｓを固定する通常のトイレと同等のコンパクトな大きさに形成することができ、スペースをとることなく任意の場所に設置することができる。しかも、排泄物は、屎及びトイレットペーパ等の固形物と尿とに分離してそれぞれ加熱処理されることにより、固形物の水分を蒸発させて体積を縮小させて廃棄することができるとともに、尿を蒸発させ、あるいは、容積を減少させて廃棄することができ、廃棄処理の煩雑さを解消することができる。
【００５１】
このような無水トイレ１は、家庭用に限らず、イベント会場や工事現場において簡易ハウスとともに設置したり、バスや電車等の公共輸送機関や船舶、飛行機等に搭載することもできる。
【００５２】
なお、前述した実施形態においては、屎尿分離装置３の回転板３２として略三角形状に形成した場合を例示したが、三角形状に限らず多角形状であっても構わない。
【００５３】
また、電動モータ等の電源としては、商用電源の他、市販の発電機を使用したり、太陽光や風力等の自然エネルギを利用して発電するとともに、蓄電池に蓄電して利用することもできる。
【００５４】
例えば、商用電源を確保できない場合においては、図４に示すように、仮設トイレ１０として提供することもできる。具体的には、簡易ハウスＨに無水トイレ１Ａを設置する一方、簡易ハウスＨの床下空間を利用して蓄電池Ｂ及び石油等のファンヒーターＦを配置するとともに、無水トイレ１Ａの屎尿分離装置３の直下に連通して尿タンクＴを設置し、さらに、簡易ハウスＨの屋根に太陽電池モジュールＰを搭載する。そして、太陽電池モジュールＰを利用して発電するとともに、発電された電気を蓄電池Ｂに貯え、屎尿分離装置３及び搬送コンベア４の電動モータＭ１、乾燥ドラム５の電動モータＭ２、ファン２３、紫外線照射ランプ２４等の電源として利用する。また、ファンヒータＦによって１１０〜１３０℃程度の加熱空気を乾燥ドラム５及び回収容器９に供給して内部の屎を乾燥させる。      
【００５５】
なお、尿タンクＴに回収された尿は、液肥として樹木等に散布することができる。
【００５６】
したがって、全体としてコンパクトに形成でき、また、多人数が利用する場合であっても対応することができることから、任意の場所に輸送して設置することができる。
【００５７】
この無水トイレ１Ａは、前述した無水トイレ１からヒーター２１及び第１回収容器８を取り除いて仮設トイレ１０に利用できるように改造したものであって、その他の構造は先に説明した無水トイレ１と同じであり、詳細な説明は省略する。
【００５８】
ただし、ドラムヒータ５３には、通電しないように制御される。
【符号の説明】
【００５９】
１，１Ａ  無水トイレ
２  ケーシング
２１  ヒータ
２２  フレーム
３  屎尿分離装置
３２  回転板
３３  固定板
４  搬送コンベア
４３  ベルト
５  乾燥ドラム
５２  ドラム本体
５３  ドラムヒータ
５４  樋
６  前方コンベア
６３  ベルト
７  側方コンベア
７３  ベルト
８  第１回収容器
９  第２回収容器
１０  移動トイレ
Ｓ  便座
Ｈ  簡易ハウス
Ｂ  蓄電池
Ｆ  ファンヒーター
Ｐ  太陽電池モジュール
Ｔ  尿タンク
【図１】
0005893514.tif 000002
【図２】
0005893514.tif 000003
【図３】
0005893514.tif 000004
【図４】
0005893514.tif 000005